(57)【要約】【課題】  従来のオープンショーケースに比べて全体の奥行寸法が小さいオープンショーケースを提供する。【解決手段】  断熱壁と内部パネルとで形成された貯蔵室の前面開口に上部の冷気吹出口から下部の冷気吸入口へ向けて冷気のエアカーテンを形成し、貯蔵室に陳列した商品を保冷すると共に、非営業時に前記エアカーテンの前方で貯蔵室の前面開口をナイトカバーで覆うオープンショーケースであって、天井部断熱壁の前端を冷気吹出口の前端よりも後方に下げ、冷気吹出口を形成するダクトの前壁を前方へ向けて下方へ傾斜させ、前記前壁の傾斜部の上方に形成された前方へ向けて上下方向に拡幅する空間内に、ロール状に巻かれたナイトカバーの少なくとも一部を配設した。【選択図】  図２
2008121971.tif 000002
【特許請求の範囲】
【請求項１】
断熱壁と内部パネルとで形成された貯蔵室の前面開口に上部の冷気吹出口から下部の冷気吸入口へ向けて冷気のエアカーテンを形成し、貯蔵室に陳列した商品を保冷すると共に、非営業時に前記エアカーテンの前方で貯蔵室の前面開口をナイトカバーで覆うオープンショーケースであって、天井部断熱壁の前端を冷気吹出口の前端よりも後方に下げ、冷気吹出口を形成するダクトの前壁を前方へ向けて下方へ傾斜させ、前記前壁の傾斜部の上方に形成された前方へ向けて上下方向に拡幅する空間内に、ロール状に巻かれたナイトカバーの少なくとも一部を配設したことを特徴とするオープンショーケース。
【請求項２】
前記ダクトの前壁に固定した連結部材にナイトカバーの支持部材を固定したことを特徴とする請求項１に記載のオープンショーケース。
【請求項３】
オープンショーケースの天井外装板の、前記上下方向に拡幅する空間上方の部分を、着脱可能にしたことを特徴とする請求項１又は２に記載のオープンショーケース。
【発明の詳細な説明】
【技術分野】
【０００１】
本発明は、オープンショーケースに関するものである。
【背景技術】
【０００２】
断熱壁と内部パネルとで形成された貯蔵室の前面開口に上部の冷気吹出口から下部の冷気吸入口へ向けて冷気のエアカーテンを形成し、貯蔵室に陳列した商品を保冷すると共に、非営業時に前記エアカーテンの前方で貯蔵室の前面開口をナイトカバーで覆うオープンショーケースであって、天井部断熱壁の前端を冷気吹出口の前端まで延ばし、冷気吹出口を形成するダクトの前壁よりも前方に、ロール状に巻かれたナイトカバーを配設したオープンショーケースが特許文献１等に開示されている。
【特許文献１】特開平９−００４９６６号公報
【発明の開示】
【発明が解決しようとする課題】
【０００３】
特許文献１等に開示された従来のオープンショーケースには、冷気吹出口を形成するダクトの前壁よりも前方に、ロール状に巻かれたナイトカバーを配設したので、貯蔵室よりも前方の張出長さが大きく、全体の奥行寸法が大きいという問題がある。
本発明は上記問題に鑑みてなされたものであり、従来のオープンショーケースに比べて全体の奥行寸法が小さいオープンショーケースを提供することを目的とする。
【課題を解決するための手段】
【０００４】
上記課題を解決するために、本発明においては、断熱壁と内部パネルとで形成された成貯蔵室の前面開口に上部の冷気吹出口から下部の冷気吸入口へ向けて冷気のエアカーテンを形成し、貯蔵室に陳列した商品を保冷すると共に、非営業時に前記エアカーテンの前方で貯蔵室の前面開口をナイトカバーで覆うオープンショーケースであって、天井部断熱壁の前端を冷気吹出口の前端よりも後方に下げ、冷気吹出口を形成するダクトの前壁を前方へ向けて下方へ傾斜させ、前記前壁の傾斜部の上方に形成された前方へ向けて上下方向に拡幅する空間内に、ロール状に巻かれたナイトカバーの少なくとも一部を配設したことを特徴とするオープンショーケースを提供する。
本発明に係るオープンショーケースにおいては、天井部断熱壁の前端を冷気吹出口の前端よりも後方に下げ、冷気吹出口を形成するダクトの前壁を前方へ向けて下方へ傾斜させることにより、前記前壁の傾斜部の上方に前方へ向けて上下方向に拡幅する空間を形成し、ロール状に巻かれたナイトカバーの少なくとも一部を前記空間内に配設したので、ロール状に巻かれたナイトカバーの少なくとも一部は、冷気吹出口を形成するダクトの前壁よりも前に出ない。この結果、冷気吹出口を形成するダクトの前壁よりも前方にロール状に巻かれたナイトカバーを配設した従来のオープンショーケースに比べて全体の奥行寸法が小さくなる。
【０００５】
本発明の好ましい態様においては、前記ダクトの前壁に固定した連結部材にナイトカバーの支持部材を固定した。
冷気吹出口を形成するダクトの前壁に連結部材を固定し、当該連結部材にナイトカバーの支持部材を固定することにより、ダクト前壁傾斜部の上方の前方へ向けて上下方向に拡幅する空間に、容易且つ確実に、支持部材に支持されたナイトカバーを組み込むことができる。
【０００６】
本発明の好ましい態様においては、オープンショーケース天井壁の、前記上下方向に拡幅する空間上方の部分を、着脱可能にした。
オープンショーケース天井壁の、前記上下方向に拡幅する空間上方の部分を、着脱可能にしておけば、ナイトカバーの保守を容易に行うことができる。またナイトカバーを容易に後付けすることができる。
【発明の効果】
【０００７】
本発明に係るオープンショーケースにおいては、天井部断熱壁の前端を冷気吹出口の前端よりも後方に下げ、冷気吹出口を形成するダクトの前壁を前方へ向けて下方へ傾斜させることにより、前記前壁の傾斜部の上方に前方へ向けて上下方向に拡幅する空間を形成し、ロール状に巻かれたナイトカバーの少なくとも一部を前記空間内に配設したので、ロール状に巻かれたナイトカバーの少なくとも一部は、冷気吹出口を形成するダクトの前壁よりも前に出ない。この結果、冷気吹出口を形成するダクトの前壁よりも前方にロール状に巻かれたナイトカバーを配設した従来のオープンショーケースに比べて全体の奥行寸法が小さくなる。
【発明を実施するための最良の形態】
【０００８】
本発明の実施例に係るオープンショーケースを説明する。
図１に示すように、オープンショーケース１は、天井部断熱壁２ａと、後部断熱壁２ｂと、底部断熱壁２ｃと、図示しない両側壁と、断熱壁２ａ〜２ｃの内側に配設した内部パネル３とにより形成された貯蔵室４を備えている。断熱壁２ａ〜２ｃと内部パネル３との間の隙間は、冷気循環ダクト５を形成している。
貯蔵室４は前面開口４ａを有している。貯蔵室４内には複数の陳列棚６が上下方向に互いに間隔を隔てて配設されている。
冷気循環ダクト５内に冷凍回路の蒸発器７と蒸発器用ファン８とが配設され、貯蔵室４の下方に形成された機械室内に、冷凍回路の凝縮器９と凝縮器用ファン１０と圧縮機１１とが配設されている。
冷気循環ダクト５の上部前端部５ａは、内部パネル３と天井部断熱壁２ａの前端部に固定された板部材１２とにより形成されており、下向きに開口して冷気吹出口１３を形成している。冷気吹出口１３に整流用のハニカム部材１４が取り付けられている。
冷気循環ダクト５の下部は、蒸発器用ファン８を介して、最下段の陳列棚６と底部断熱壁２ｃの前端直立部との間に形成された冷気吸入口１５に連通している。
【０００９】
図２に示すように、天井部断熱壁２ａの前端を冷気吹出口１３の前端よりも後方に下げ、冷気吹出口１３を形成するダクト５ａの前壁である板部材１２の上部を前方へ向けて下方へ傾斜させ、前記前壁である板部材１２上部の傾斜部１２ａの上方に形成された前方へ向けて上下方向に拡幅する空間１６内に、ロール状に巻かれたナイトカバー１７の少なくとも一部を配設している。
図３に示すように、ダクト５ａの前壁である板部材１２に、複雑に折り曲げた一枚の板部材からなる連結部材１８を固定し、ナイトカバー１７の支持部材１９を連結部材１８に載置固定している。
連結部材１８は、貯蔵室４を照明する蛍光灯２０のソケット取付板１８ａをも形成している。蛍光灯２０の直上に配設された蛍光灯反射板２１が、連結部材１８に載置固定されている。
ナイトカバー１７の自由端は、連結部材１８及び蛍光灯反射板２１とダクト５ａの前壁である板部材１２の下部鉛直部との間の隙間２２を通って下方へ延びており、フック２３に接続している。
オープンショーケース１は、天井外装板２４と、天井外装板２４の前端に当接するハンドレール２５と、ハンドレール２５に取り付けられて垂下する所定幅の前部外装板２６とを備えている。天井外装板２４の、空間１６上方の部分は、着脱可能に天井部断熱壁２ａに取り付けられている。
【００１０】
オープンショーケース１においては、稼働時にはナイトカバー１７は巻き上げられており、貯蔵室４の前面開口４ａは開放されている。冷気吹出口１３から冷気吸入口１５へ向けて下方へ吹き出した冷気が、冷気のエアカーテンを前面開口４ａに形成し、貯蔵室４に陳列した商品を保冷する。
非営業時には、フック２３が引き下ろされることにより、ナイトカバー１７が下方へ引き出されて、冷気のエアカーテンの前方で貯蔵室４の前面開口４ａを覆う。
【００１１】
オープンショーケース１においては、天井部断熱壁２ａの前端を冷気吹出口１３の前端よりも後方に下げ、冷気吹出口１３を形成するダクト５ａの前壁である板部材１２の上部を前方へ向けて下方へ傾斜させることにより、前記前壁である板部材１２の傾斜部１２ａの上方に、前方へ向けて上下方向に拡幅する空間１６を形成し、ロール状に巻かれたナイトカバー１７の少なくとも一部を前記空間１６内に配設したので、ロール状に巻かれたナイトカバー１７の少なくとも一部は、冷気吹出口１３を形成するダクト５ａの前壁である板部材１２の下部鉛直部よりも前に出ない。この結果、冷気吹出口を形成するダクトの前壁よりも前方にロール状に巻かれたナイトカバーを配設した従来のオープンショーケースに比べて全体の奥行寸法が小さくなる。
オープンショーケース１においては、冷気吹出口１３を形成するダクト５ａの前壁である板部材１２に連結部材１８を固定し、当該連結部材１８にナイトカバーの支持部材１９を載置固定したので、ダクト前壁傾斜部１２ａの上方の前方へ向けて上下方向に拡幅する空間１６に、容易且つ確実に、支持部材１９に支持されたナイトカバー１７を組み込むことができる。
オープンショーケース１においては、天井外装板２３の、前記上下方向に拡幅する空間１６上方の部分を、着脱可能にしたので、ナイトカバー１７の保守を容易に行うことができる。またナイトカバー１７をオプションにした場合に、ナイトカバー１７を容易に後付けすることができる。
【図面の簡単な説明】
【００１２】
【図１】本発明の実施例に係るオープンショーケースの断面図である。
【図２】図１の部分拡大図である。
【図３】本発明の実施例に係るオープンショーケースの部分分解斜視図である。
【符号の説明】
【００１３】
１  オープンショーケース
２ａ  天井部断熱壁
３  内部パネル
５、５ａ  冷気循環ダクト
１２  板部材
１２ａ  傾斜部
１３  冷気吹出口
１７  ナイトカバー
１８  連結部材
２１  蛍光灯反射板
２２  隙間
【図１】
2008121971.tif 000003
【図２】
2008121971.tif 000004
【図３】
2008121971.tif 000005